(57)【要約】【課題】複数のＬＥＤが直列接続された複数列のＬＥＤ群を備えるバックライト装置を瞬時に消灯させることのできる液晶表示装置を提供すること。【解決手段】商用交流電源５０から電源装置５への電力供給が遮断されたことを条件に，電源装置５からバックライト装置１７に設けられた複数列のＬＥＤ群各々への電力供給が遮断されたと判断し，該電源装置５から前記ＬＥＤ群各々への電力供給経路上に設けられたコンデンサに蓄積された電荷を瞬時に放電させる瞬時消灯回路８を備える。また，前記コンデンサと前記ＬＥＤ群との接続を遮断してもよい。これにより，前記コンデンサから前記ＬＥＤ各々への電力供給を阻止して該ＬＥＤ各々を瞬時に消灯させる。【選択図】図３
2011191494.tif 000002
【特許請求の範囲】
【請求項１】
複数のＬＥＤが直列接続された複数列のＬＥＤ群を有するバックライト装置と，所定の交流電源から供給される電力に基づいて前記ＬＥＤ群各々に駆動電力を供給するＬＥＤ電源装置と，前記ＬＥＤ電源装置から前記ＬＥＤ群各々への電力供給経路上に設けられたコンデンサとを備えてなる液晶表示装置であって，
前記ＬＥＤ電源装置から前記ＬＥＤ群各々への電力供給が遮断されたことを条件に，前記コンデンサに蓄積された電荷を瞬時に放電させ，或いは前記コンデンサと前記ＬＥＤ群との接続を遮断する瞬時消灯手段を備えてなることを特徴とする液晶表示装置。
【請求項２】
前記瞬時消灯手段が，前記コンデンサに蓄積された電荷を瞬時に放電させる抵抗素子と，前記コンデンサ及び前記抵抗素子の接続の有無を切り換える放電切換手段と，前記ＬＥＤ電源装置から前記ＬＥＤ群各々への電力供給が遮断されたことを条件に前記放電切換手段により前記コンデンサ及び前記抵抗素子を接続させる切換制御手段とを含んでなる請求項１に記載の液晶表示装置。
【請求項３】
前記瞬時消灯手段が，前記コンデンサ及び前記ＬＥＤ群各々の接続の有無を切り換える遮断切換手段と，前記ＬＥＤ電源装置から前記ＬＥＤ群各々への電力供給が遮断されたことを条件に前記遮断切換手段により前記コンデンサ及び前記ＬＥＤ群各々の接続を遮断する切換制御手段とを含んでなる請求項１に記載の液晶表示装置。
【請求項４】
前記切換制御手段が，前記所定の交流電源から前記ＬＥＤ電源装置への電力供給が遮断された場合に，前記ＬＥＤ電源装置から前記ＬＥＤ群各々への電力供給が遮断されたと判断するものである請求項２又は３のいずれかに記載の液晶表示装置。
【請求項５】
全ての前記ＬＥＤ群が並列接続又は直列接続されてなる請求項１〜４のいずれかに記載の液晶表示装置。
【発明の詳細な説明】
【技術分野】
【０００１】
本発明は，マトリクス状に配置された多数のＬＥＤにより液晶表示パネルを背後から照明するいわゆる直下型ＬＥＤバックライト装置を備えてなる液晶表示装置に関し，特に，前記ＬＥＤの制御回路の改良に関するものである。
【背景技術】
【０００２】
液晶テレビジョン受像機や液晶モニタ装置などの液晶表示装置には，液晶表示パネルを背後から照明するバックライト装置が搭載される。従来，このバックライト装置には光源として冷陰極管（ＣＣＦＬ）が用いられており，該冷陰極管をインバータ回路で駆動させていた。
一方，近年では，バックライト装置の光源として，省電力化などに優れたＬＥＤが用いられる（例えば，特許文献１参照）。このようなＬＥＤを用いたバックライト装置を備える液晶表示装置では，ＬＥＤの駆動を安定させるために，ＬＥＤへの電力供給経路上にコンデンサが設けられる。そのため，リモコンなどによって液晶表示装置の電源が切られたときでも，そのコンデンサに蓄積された電荷がＬＥＤに供給されることにより，しばらくＬＥＤが微妙に点灯することになり，ユーザに違和感を与えることとなる。
特に，ＬＥＤ各々を個別に制御することのできる液晶表示装置では，該ＬＥＤ各々に接続されるコンデンサの容量が小さいものでよいため，さほど問題にならないが，複数のＬＥＤが直列接続された複数列のＬＥＤ群を備えるバックライト装置では，該ＬＥＤ群に対応して大容量のコンデンサを設ける必要があるため，そのコンデンサに蓄積された電荷によってＬＥＤが点灯するという問題が顕著となる。例えば，４０型の液晶テレビジョン受像機では，定格電圧が３５０Ｖ，定格容量が５６μＦ程度の大容量のコンデンサが用いられ，４６型や５２型の液晶テレビジョン受像機では，定格電圧が３５０Ｖ，定格容量が６８μＦの大容量のコンデンサが用いられる。
そこで，リモコンなどによって液晶表示装置の電源が切られたときに，ＬＥＤが微妙に点灯していても液晶表示パネルの映像が瞬時に消えたように見せるため，例えば液晶表示パネル全面に黒画像を表示させる黒ミュート処理を実行することが考えられる。
【先行技術文献】
【特許文献】
【０００３】
【特許文献１】特開２００８−９６４９２号公報
【発明の概要】
【発明が解決しようとする課題】
【０００４】
しかしながら，液晶表示装置を商用交流電源に接続する電源コードが抜かれた場合には，該液晶表示装置への駆動電力の供給が突然遮断されるため，前記黒ミュート処理を実行することができなくなり，やはりＬＥＤが微妙に点灯してユーザに違和感を与えることになる。また，前記液晶表示装置の電源が切られる度に黒ミュート処理が実行されることは制御回路の処理負担軽減の観点から好ましくない。
従って，本発明は上記事情に鑑みてなされたものであり，その目的とするところは，複数のＬＥＤが直列接続された複数列のＬＥＤ群を備えるバックライト装置を瞬時に消灯させることのできる液晶表示装置を提供することにある。
【課題を解決するための手段】
【０００５】
上記目的を達成するために本発明は，複数のＬＥＤが直列接続された複数列のＬＥＤ群を有するバックライト装置と，所定の交流電源から供給される電力に基づいて前記ＬＥＤ群各々に駆動電力を供給するＬＥＤ電源装置と，前記ＬＥＤ電源装置から前記ＬＥＤ群各々への電力供給経路上に設けられたコンデンサとを備えてなる液晶表示装置であって，前記ＬＥＤ電源装置から前記ＬＥＤ群各々への電力供給が遮断されたことを条件に，前記コンデンサに蓄積された電荷を瞬時に放電させ，或いは前記コンデンサと前記ＬＥＤ群との接続を遮断する瞬時消灯手段を備えてなることを特徴とする液晶表示装置として構成される。
本発明によれば，例えば前記液晶表示装置の電源コードが抜かれた場合や，前記液晶表示装置の電源が切られてスタンバイモードに移行する場合など，前記ＬＥＤ電源装置から前記ＬＥＤ群各々への電力供給が遮断されるときに，前記コンデンサから前記ＬＥＤ各々への電力供給を阻止し，前記ＬＥＤ各々を瞬時に消灯させることができる。
また，従来のように前記液晶表示装置の電源コードが抜かれた後も前記コンデンサに電荷が残存する構成では，前記バックライト装置を分解してメンテナンスを行うときに前記コンデンサの足（端子）に触れて感電するおそれがある。そのため，前記コンデンサの足に触れにくくなるように，前記コンデンサを回路基板に対して直立させて搭載することが考えられるが（図５（ａ）参照），この場合，回路基板に搭載された前記コンデンサの高さによって，前記液晶表示装置の薄型化が阻害されることが問題となる。しかしながら，本発明のように，前記ＬＥＤ電源装置から前記ＬＥＤ群各々への電力供給が遮断されたことを条件に，前記コンデンサに蓄積された電荷を瞬時に放電させれば，前記コンデンサを回路基板に寝かせて配置してその足を露出させても感電のおそれがなく，前記液晶表示装置の薄型化を図ることもできる（図５（ｂ）参照）。
さらに，前記液晶表示装置の電源が切られてスタンバイモードに移行する場合にも，前記コンデンサに蓄積された電荷を瞬時に放電させれば，前記液晶表示装置の電源が切られる度に前記黒ミュート処理を実行する必要がなく制御回路の処理負担が軽減される。
【０００６】
例えば，前記瞬時消灯手段は，前記コンデンサに蓄積された電荷を瞬時に放電させる抵抗素子と，前記コンデンサ及び前記抵抗素子の接続の有無を切り換える放電切換手段と，前記ＬＥＤ電源装置から前記ＬＥＤ群各々への電力供給が遮断されたことを条件に前記放電切換手段により前記コンデンサ及び前記抵抗素子を接続させる切換制御手段とを含んでなるものであることが考えられる。
また，前記瞬時消灯手段が，前記コンデンサ及び前記ＬＥＤ群各々の接続の有無を切り換える遮断切換手段と，前記ＬＥＤ電源装置から前記ＬＥＤ群各々への電力供給が遮断されたことを条件に前記遮断切換手段により前記コンデンサ及び前記ＬＥＤ群各々の接続を遮断する切換制御手段とを含んでなることも考えられる。
ここで，前記切換制御手段は，例えば前記所定の交流電源から前記ＬＥＤ電源装置への電力供給が遮断された場合に，前記ＬＥＤ電源装置から前記ＬＥＤ群各々への電力供給が遮断されたと判断するものであることが考えられる。
特に，本発明は，全ての前記ＬＥＤ群が並列接続又は直列接続されてなる構成，即ち前記コンデンサとして大容量のものを用いる必要がある構成に好適である。
【発明の効果】
【０００７】
本発明によれば，例えば前記液晶表示装置の電源コードが抜かれた場合や，前記液晶表示装置の電源が切られてスタンバイモードに移行する場合など，前記ＬＥＤ電源装置から前記ＬＥＤ群各々への電力供給が遮断されるときに，前記コンデンサから前記ＬＥＤ各々への電力供給を阻止し，前記ＬＥＤ各々を瞬時に消灯させることができる。また，前記ＬＥＤ電源装置から前記ＬＥＤ群各々への電力供給が遮断されたことを条件に，前記コンデンサに蓄積された電荷を瞬時に放電させれば，前記コンデンサを回路基板に寝かせて配置してその足を露出させても感電のおそれがなく，前記液晶表示装置の薄型化を図ることもできる。さらに，前記液晶表示装置の電源が切られてスタンバイモードに移行する場合にも，前記コンデンサに蓄積された電荷を瞬時に放電させれば，前記液晶表示装置の電源が切られる度に前記黒ミュート処理を実行する必要がなく制御回路の処理負担が軽減される。
【図面の簡単な説明】
【０００８】
【図１】本発明の実施の形態に係る液晶テレビジョン受像機Ｘの概略構成を示すブロック図。
【図２】本発明の実施の形態に係る液晶テレビジョン受像機Ｘにおけるバックライト装置１７の概略構成を示す模式図。
【図３】バックライト装置１７への電力供給回路を説明するための図。
【図４】瞬時消灯回路８の一例を説明するための要部回路図。
【図５】コンデンサ１６１の回路基板への搭載状態を示す図。
【図６】瞬時消灯回路８の他の例を説明するための要部回路図。
【図７】瞬時消灯回路８の他の例を説明するための要部回路図。
【発明を実施するための形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，本発明の実施の形態に係る液晶テレビジョン受像機Ｘ（液晶表示装置の一例）の概略構成について説明する。なお，液晶テレビジョン受像機に限らず液晶モニタ装置なども本発明に係る液晶表示装置に該当する。
図１に示すように，液晶テレビジョン受像機Ｘは，複数のチューナ１，外部信号入力部２，復調・分離回路３，制御回路４，電源装置５，リモコン受光部６，及びリモコン（リモート操作器）７，瞬時消灯回路８，映像復号回路１１，映像選択・合成回路１２，映像処理回路１３，液晶ドライバ１４，液晶表示パネル１５，ＬＥＤ駆動回路１６，バックライト装置１７，音声復号回路２１，音声選択回路２２，音声処理回路２３，アンプ２４，スピーカ２５等を備えている。前記電源装置５は電源コードを介して商用交流電源５０（所定の交流電源に相当）に接続される。
【００１０】
前記リモコン受光部６は，当該液晶テレビジョン受像機Ｘの操作用のリモコン７から，所定の信号伝送プロトコル（いわゆるリモコンプロトコル）に従って，赤外線による無線信号受信を行う信号伝送インターフェースである。そして，前記リモコン受光部６は，赤外線信号から前記リモコン７に対する操作入力情報を表す信号を抽出し，その信号を前記制御回路４に伝送する。
前記制御回路４は，演算手段であるＭＰＵ４ａ，記憶手段であるＲＯＭ４ｂ（ＥＰＲＯＭ）及びＥＥＰＲＯＭ４ｃを備え，前記ＭＰＵ４ａが，制御プログラムを実行することによって当該液晶テレビジョン受像機Ｘ全体を制御する。前記ＲＯＭ４ｂには，前記ＭＰＵ４ａによって実行される制御プログラムが予め格納されている。また，前記ＥＥＰＲＯＭ４ｃには，前記ＭＰＵ４ａが実行する処理において読み書き（参照又は書き込み）される各種データが記憶される。
【００１１】
前記チューナ１は，入力されたテレビジョン放送信号から放送中のコンテンツ（放送番組）の信号を抽出する電子部品である。より具体的には，前記チューナ１は，前記制御回路４により選択を指示された放送番組の信号が含まれる搬送波周波数成分の信号を抽出し，その抽出信号を後段の復調・分離回路３に伝送する。なお，前記チューナ１は，放送媒体（地上波，ＢＳ，ＣＳ等）ごとに個別に設けられる。
前記外部信号入力部２は，例えばＤＶＤプレイヤーやブルーレイディスクプレイヤー，Ｗｅｂストリーミングの受信装置（インターネットモデム等）などの外部装置から映像信号及び音声信号を入力する信号入力インターフェースである。なお，前記外部信号入力部２は，前記映像信号に重畳して入力されるメタデータを抽出し，前記制御回路４に入力する。
前記復調・分離回路３は，前記チューナ１から伝送されてきた搬送波周波数成分からトランスポートストリーム信号（Transport Stream信号：以下，ＴＳ信号）を復調する。さらに，前記復調・分離回路３は，抽出されたＴＳ信号から，視聴される放送番組に対応した映像信号及び音声信号，並びにメタデータ（コンテンツ情報）などを分離して抽出する。さらに，前記復調・分離回路３は，前記制御回路４から受けたＰＩＤ（Packet IDentification）に応じて，視聴対象となる放送番組の映像信号及び音声信号を抽出し，各信号を前記映像復号回路１１及び前記音声復号回路２１それぞれに伝送する。
【００１２】
前記音声復号回路２１は，前記復調・分離回路３から伝送される音声信号を復号し，復号した音声信号を前記音声選択回路２２に伝送する。
また，前記音声選択回路２２は，前記制御回路４からの制御指令に従って，前記チューナ１により選局された放送番組のコンテンツの音声信号（前記音声復号回路２１を通じて入力される音声信号）と，前記外部信号入力部２を通じて入力される音声信号との中から１つの音声信号を選択して前記音声処理回路２３へ伝送する回路である。
そして，前記音声処理回路２３は，前記制御回路４からの指示に従って，前記音声選択回路２２により選択された音声信号に対して各種信号処理を行うものである。例えば，前記スピーカ２５の特性に合わせたイコライズ処理や，サラウンド処理等を行う。
また，前記アンプ２４は，前記音声処理回路２３による処理後の音声信号を，前記制御回路４からの指示に従って増幅或いは減衰させる処理を行い，前記スピーカ２５に出力するものである。
【００１３】
一方，前記映像復号回路１１は，前記復調・分離回路３から伝送される映像信号を復号し，復号した映像信号を前記映像選択・合成回路１２に伝送する。
前記映像選択・合成回路１２は，前記制御回路４からの制御指令に従って，前記映像復号回路１１を通じて入力される放送番組のコンテンツの映像信号と，前記外部信号入力部２を通じて入力される外部入力コンテンツの映像信号との中から，１つ又は複数の映像信号を選択して前記映像処理回路１３へ伝送する。
前記映像処理回路１３は，前記制御回路４からの制御指令に従って，コンテンツの画像を前記液晶表示パネル１５に表示させるために前記液晶ドライバ１４に供給するフレーム画像信号を生成する。
さらに，前記映像処理回路１３は，前記制御回路４からの制御指令に従って，前記フレーム画像信号に含められる各コンテンツの画像のサイズを調節する機能も有している。その際，前記制御回路４は，前記リモコン７に対する画像サイズの調節操作（例えば，拡大キーや縮小キーの押下操作）に従って，前記映像処理回路１３に対して各コンテンツの画像のサイズ調節指令を出力する。
前記液晶ドライバ１４は，前記映像処理回路１３から所定周期で順次伝送されてくる前記フレーム画像信号に基づいて前記液晶表示パネル１５を制御し，そのフレーム画像信号に対応する１フレーム分（１コマ）の画像を前記液晶表示パネル１５に順次表示させる回路である。
前記液晶表示パネル１５は，前記液晶ドライバ１４による制御に応じて，前記バックライト装置１７からの光の透光率を変更し，前記フレーム画像信号に対応する映像を表示する。
【００１４】
前記バックライト装置１７は，前記液晶表示パネル１５の背面側にマトリクス状に配置された多数のＬＥＤを有しており，該液晶表示パネル１５を背後から照明する，いわゆる直下型ＬＥＤバックライト装置である。また，前記ＬＥＤ駆動回路１６は，前記制御回路４からの制御指令に従って，前記バックライト装置１７の駆動（点灯）を制御する。
具体的に，前記バックライト装置１７は，図２に示すように，複数のＬＥＤ１７１が直列接続された複数列のＬＥＤ群１７２を有している。また，全ての前記ＬＥＤ群１７２は並列接続されている。そして，前記ＬＥＤ駆動回路１６は，前記ＬＥＤ群１７２各々のカソード側の経路の確立／遮断を切り換えることにより該ＬＥＤ群１７２各々の点灯／消灯を個別に制御する。なお，全ての前記ＬＥＤ群１７２が直列接続されており，全ての前記ＬＥＤ群１７２各々を一括して制御する構成も他の実施例として考えられる。
【００１５】
図１に戻り，前記電源装置５は，前記商用交流電源５０から供給される交流電力に基づいて前記バックライト装置１７のＬＥＤ群１７２各々などの各電子部品に駆動電力を供給するものである。ここに，前記ＬＥＤ群１７２各々に駆動電力を供給するときの前記電源装置５がＬＥＤ電源装置に相当する。
また，前記瞬時消灯回路８は，前記電源装置５から前記バックライト装置１７のＬＥＤ群１７２各々への電力供給が遮断されたことを条件に，全ての前記ＬＥＤ群１７２のＬＥＤ１７１を瞬時に消灯させるものである。ここに，前記瞬時消灯回路８が瞬時消灯手段に相当する。
本発明の実施の形態に係る前記液晶テレビジョン受像機Ｘは，前記瞬時消灯回路８を有している点に特徴を有しており，以下この点について詳説する。
【００１６】
ここに，図３は，前記商用交流電源５０から前記バックライト装置１７への電力供給経路の概略構成を示すブロック図である。
図３に示すように，前記電源装置５は，前記商用交流電源５０から供給される交流電圧を直流電圧に変換する整流回路５１と，前記整流回路５１から入力される直流電圧を所定の電圧に変換して前記ＬＥＤ駆動回路１６に出力するコンバータ回路５２とを備えている。なお，前記コンバータ回路５２は，前記ＬＥＤ駆動回路１６の他，前記液晶テレビジョン受像機Ｘ内の各電子部品にも駆動電力を供給する。
一方，前記瞬時消灯回路８は，前記商用交流電源５０から前記電源装置５への交流電力の供給の有無を検出するＡＣ検出回路８１と，前記ＡＣ検出回路８１の検出結果に応じて出力信号を切り換える切換制御回路８２と，前記切換制御回路８２によって駆動されることにより前記ＬＥＤ駆動回路１６内に設けられた後述のコンデンサ１６１を瞬時に放電させる放電回路８３とを備えている。
前記ＡＣ検出回路８１は，例えば前記商用交流電源５０から前記電源装置５に供給される交流電圧が予め設定された下限値以下となったことを条件に，前記商用交流電源５０から前記電源装置５への電力供給が遮断され，前記電源装置５から前記バックライト装置１７のＬＥＤ群１７２各々への電力供給が遮断されたと判断するものである。
【００１７】
ここに，図４は，前記切換制御回路８２及び前記放電回路８３の具体例を説明するための要部回路図である。
図４に示すように，前記ＬＥＤ駆動回路１６は，前記電源装置５から前記バックライト装置１７のＬＥＤ群１７２各々への電力供給経路上に接続されたコンデンサ１６１や，前記バックライト装置１７に流れる電流を安定させるためのダミー抵抗１６２などを備えている。なお，前記ダミー抵抗１６２は，後述の抵抗素子８３２に比べて抵抗値が十分に高く，例えば１００ＫΩ程度の抵抗値を有するものである。また，図４には示していないが，前記ＬＥＤ駆動回路１６は，前記ＬＥＤ群１７２各々のカソード側の経路の確立／遮断を切り換えることにより該ＬＥＤ群１７２各々の点灯／消灯を個別に制御する回路を有している。
前記コンデンサ１６１は，該コンデンサ１６１の先に接続された前記ＬＥＤ１７１の数などに応じて，該ＬＥＤ１７１各々に安定した電力供給を行うための適切な定格電圧及び定格容量を有するものである。例えば，前記液晶表示パネル１５のサイズが４０型である場合には，前記バックライト装置１７に対して数百Ｖの電圧が印加されるため，前記コンデンサ１６１には，定格電圧が３５０Ｖ，定格容量が５６μＦのものが用いられる。また，前記液晶表示パネル１５のサイズが４６型や５２型である場合，前記コンデンサ１６１には，定格電圧が３５０Ｖ，定格容量が６８μＦのものが用いられる。このように，多数の前記ＬＥＤ１７１が接続される回路上に設けられる前記コンデンサ１６１は，その容量が非常に大きなものとなり，蓄積される電荷量が多くなる。もちろん，前記コンデンサ１６１は複数のコンデンサが並列接続されたものであってもよい。
【００１８】
前記切換制御回路８２は，前記商用交流電源５０から当該電源装置５に交流電力が供給されていることが前記ＡＣ検出回路８１によって検出された場合に該ＡＣ検出回路８１から出力される駆動信号により点灯するＬＥＤ８２１と，前記ＬＥＤ８２１の点灯に応じて駆動（導通）するフォトトランジスタ８２２と，前記フォトトランジスタ８２２の駆動により作動して後述の切換スイッチ８３１のＯＮ／ＯＦＦを切り換えるリレー８２３とを備えている。なお，前記ＬＥＤ８２１及び前記フォトトランジスタ８２２は所謂フォトカプラである。
前記放電回路８３は，前記リレー８２３のｂ接点（作動時にＯＦＦ，非作動時にＯＮ）である切換スイッチ８３１（放電切換手段の一例）と，前記コンデンサ１６１に蓄積された電荷を瞬時に消費する程度に抵抗値の低い抵抗素子８３２とを有している。なお，前記抵抗素子８３２の抵抗値は例えば１００Ω程度である。
具体的に，前記切換スイッチ８３１は，一端が前記コンデンサ１６１に接続され，他端が前記抵抗素子８３２の一端に接続されており，前記コンデンサ１６１及び前記抵抗素子８３２の接続の有無を切り換えるものである。また，前記抵抗素子８３２の他端はＧＮＤに接続されている。そのため，前記切換スイッチ８３１がＯＮになると，前記コンデンサ１６１は，前記抵抗素子８３２を介してＧＮＤに接続されることとなり，前記切換スイッチ８３１がＯＦＦになると，前記コンデンサ１６１及び前記抵抗素子８３２の接続は遮断される。
このように構成された前記液晶テレビジョン受像機Ｘでは，前記商用交流電源５０から前記電源装置５への交流電圧の供給の有無に応じて，前記瞬時消灯回路８が以下のように動作する。
【００１９】
＜交流電圧の供給時＞
まず，前記商用交流電源５０から前記電源装置５への電力供給が行われており，前記電源装置５から前記バックライト装置１７のＬＥＤ群１７２各々に駆動電力が供給される場合，前記ＡＣ検出回路８１はその旨を検出して前記切換制御回路８２に駆動信号を出力する。
これにより，前記切換制御回路８２では，前記ＡＣ検出回路８１から出力された駆動信号によって前記ＬＥＤ８２１が点灯する。そして，前記フォトトランジスタ８２２が駆動することにより前記リレー８２３が作動し，前記放電回路８３の切換スイッチ８３１がＯＦＦ側に切り換えられる。従って，前記コンデンサ１６１及び前記放電回路８の抵抗素子８３２の接続は遮断された状態となる。
【００２０】
＜交流電圧の遮断時＞
一方，前記商用交流電源５０及び前記液晶テレビジョン受像機Ｘを接続する電源コードなどが抜かれ，前記商用交流電源５０から前記電源装置５への電力供給が遮断されると，前記ＡＣ検出回路８１から前記切換制御回路８２への駆動信号の入力が停止される。
これにより，前記切換制御回路８２では，前記ＬＥＤ８２１が消灯して前記フォトトランジスタ８２２が非駆動状態となることにより前記リレー８２３が非作動状態となる。そのため，前記放電回路８３の切換スイッチ８３１がＯＮ側に切り換えられ，前記コンデンサ１６１が前記抵抗素子８３２を介してＧＮＤに接続されることになる。ここに，前記電源装置５から前記ＬＥＤ群１７２各々への電力供給が遮断されたことを条件に前記切換スイッチ８３１により前記コンデンサ１６１及び前記抵抗素子８３２を接続させるときの前記切換制御回路８２が切換制御手段に相当する。
【００２１】
このように，前記液晶テレビジョン受像機Ｘでは，前記商用交流電源５０及び前記液晶テレビジョン受像機Ｘを接続する電源コードなどが抜かれ，電源装置５から前記バックライト装置１７への電力供給が遮断されると，前記コンデンサ１６１と前記放電回路８の抵抗素子８３２とが接続されることにより，該コンデンサ１６１に蓄積された電荷が前記抵抗素子８３２によって瞬時に消費（放電）される。そのため，前記コンデンサ１６１の残留電荷の前記ＬＥＤ１７１各々への供給を阻止することができ，該ＬＥＤ１７１各々を瞬時に消灯させることができる。
なお，本実施の形態で説明した各電子部品は単なる一例に過ぎず，同様の機能を実現し得る他の電子部品を用いてもよい。例えば，前記切換スイッチ８３１は，リレー接点に限らず外部信号の入力に応じて接点をＯＮ／ＯＦＦするものであればよい。
また，前記液晶テレビジョン受像機Ｘへの交流電力の供給が遮断された場合であっても，該液晶テレビジョン受像機Ｘ内に設けられた二次電池などにより駆動可能な制御回路を有する構成では，該制御回路によって前記液晶テレビジョン受像機Ｘへの交流電力の遮断を検知し，前記切換スイッチ８３１をＯＮにすることにより，前記コンデンサ１６１を瞬時放電させることも他の実施例として考えられる。
【００２２】
ところで，従来構成では，電源コードを抜いた後，自然放電するまでの間は前記コンデンサ１６１に電荷が残存することとなるため，前記液晶テレビジョン受像機Ｘを分解してメンテナンスを行う際に前記コンデンサ１６１の足に触れて感電するおそれがあった。そのため，前記コンデンサ１６１は，図５（ａ）に示すように，人がその足（端子）に触れにくくなるように直立した状態で回路基板に搭載される。
しかし，前記液晶テレビジョン受像機Ｘでは，電源コードが抜かれたとき，前記コンデンサ１６１に蓄積されていた電荷が瞬時放電されるため，前記液晶テレビジョン受像機Ｘを分解してメンテナンスを行う際に感電するおそれがない。
そのため，前記液晶テレビジョン受像機Ｘでは，前記コンデンサ１６１を，図５（ｂ）に示すように足を曲折させて寝かせた状態で回路基板に搭載させることが可能である。これにより，前記回路基板の高さ方向の寸法を抑制することができるため，前記液晶テレビジョン受像機Ｘの薄型化を図ることができる。
【実施例１】
【００２３】
本実施例１では，図６を用いて，前記瞬時消灯回路８の他の構成例について説明する。なお，前記実施の形態と同様の構成要素には同じ符号を付してその説明を省略する。
本実施例１に係る前記瞬時消灯回路８は，図６に示すように，前記放電回路８３が，前記切換スイッチ８３１（図４参照）に代えて，該切換スイッチ８３１と同じく前記コンデンサ１６１及び前記抵抗素子８３２の接続の有無を切り換えるトランジスタ８３３及び抵抗素子８３４（放電切換手段の一例）を有している。
前記トランジスタ８３３は，コレクタ端子が前記コンデンサ１６１に接続され，エミッタ端子が前記抵抗素子８３２を介してＧＮＤに接続され，ベース端子が前記抵抗素子８３４の一端に接続されている。また，前記抵抗素子８３４の他端は前記トランジスタ８３３のコレクタ端子及び前記コンデンサ１６１に接続されている。
また，本実施例１に係る前記切換制御回路８２は，図６に示すように，前記リレー８２３（図４参照）を有しておらず，前記フォトトランジスタ８２２のコレクタ端子が，前記トランジスタ８３３のコレクタ端子，前記抵抗素子８３４の他端，前記コンデンサ１６１に接続されている。
このように構成された前記液晶テレビジョン受像機Ｘでは，前記商用交流電源５０から前記電源装置５への交流電圧の供給の有無に応じて，前記瞬時消灯回路８が以下のように動作する。
【００２４】
まず，前記商用交流電源５０から前記電源装置５への電力供給が行われており，前記電源装置５から前記バックライト装置１７のＬＥＤ群１７２各々に駆動電力が供給される場合は，前記切換制御回路８２の前記フォトトランジスタ８２２が駆動（導通）し，前記トランジスタ８３３のベース端子にはベース電流が入力されない。そのため，前記トランジスタ８３３が非駆動状態（非導通状態）となり，前記コンデンサ１６１と前記抵抗素子８３２との接続は遮断された状態である。
一方，前記商用交流電源５０及び前記液晶テレビジョン受像機Ｘを接続する電源コードなどが抜かれた場合など，前記商用交流電源５０から前記電源装置５への電力供給が遮断されると，前記切換制御回路８２の前記フォトトランジスタ８２２が非駆動状態（非導通状態）となり，前記コンデンサ１６１から前記抵抗素子８３４を介して前記トランジスタ８３３のベース端子にベース電流が入力される。そのため，前記トランジスタ８３３が駆動（導通）して，前記コンデンサ１６１及び前記抵抗素子８３２が接続され，該コンデンサ１６１に蓄積された電荷は前記抵抗素子８３２によって瞬時に消費される。従って，前記コンデンサ１６１の残留電荷の前記ＬＥＤ１７１各々への供給が阻止されることとなり，該ＬＥＤ１７１各々は瞬時に消灯することとなる。ここに，前記電源装置５から前記ＬＥＤ群１７２各々への電力供給が遮断されたことを条件に前記トランジスタ８３３により前記コンデンサ１６１及び前記抵抗素子８３２を接続するときの前記切換制御回路８２が切換制御手段に相当する。
【実施例２】
【００２５】
本実施例２では，図７を用いて，前記瞬時消灯回路８の他の構成例について説明する。なお，前記実施の形態と同様の構成要素には同じ符号を付してその説明を省略する。
前記実施の形態及び前記実施例１では，前記コンデンサ１６１の残留電荷を瞬時放電させることにより前記ＬＥＤ１７１各々を瞬時に消灯させる場合を例に挙げて説明したが，前記コンデンサ１６１と前記ＬＥＤ１７１各々との接続を遮断することによっても同様の効果を得ることができる。
具体的に，本実施例２に係る前記瞬時消灯回路８は，図７に示すように，前記放電回路８３に代えて遮断回路８４を備えている。前記遮断回路８４は，前記切換制御回路８２のリレー８２３におけるａ接点（作動時にＯＮ，非作動時にＯＦＦ）であり，前記コンデンサ１６１と前記ＬＥＤ群１７２各々との接続の有無を切り換える切換スイッチ８４１（遮断切換手段の一例）を有している。
このように構成された前記液晶テレビジョン受像機Ｘでは，前記商用交流電源５０から前記電源装置５への交流電圧の供給の有無に応じて，前記瞬時消灯回路８が以下のように動作する。
【００２６】
まず，前記商用交流電源５０から前記電源装置５への電力供給が行われており，前記電源装置５から前記バックライト装置１７のＬＥＤ群１７２各々に駆動電力が供給される場合は，前記切換制御回路８２の前記フォトトランジスタ８２２が駆動（導通）しており，前記リレー８２３が作動するため，前記遮断回路８４の切換スイッチ８４１がＯＮ側に切り換えられる。
一方，前記商用交流電源５０及び前記液晶テレビジョン受像機Ｘを接続する電源コードなどが抜かれた場合など，前記商用交流電源５０から前記電源装置５への電力供給が遮断されると，前記切換制御回路８２の前記フォトトランジスタ８２２が非駆動状態（非導通状態）となるため，前記リレー８２３が非作動状態となって前記遮断回路８４の切換スイッチ８４１がＯＦＦ側に切り換えられる。これにより，前記コンデンサ１６１と前記ＬＥＤ群１７２各々との接続が遮断され，前記コンデンサ１６１の残留電荷の前記ＬＥＤ１７１各々への供給が阻止されることとなるため，該ＬＥＤ１７１各々は瞬時に消灯することとなる。ここに，前記電源装置５から前記ＬＥＤ群１７２各々への電力供給が遮断されたことを条件に前記切換スイッチ８４１により前記コンデンサ１６１及び前記ＬＥＤ群１７２各々の接続を遮断するときの前記切換制御回路８２が切換制御手段に相当する。
【実施例３】
【００２７】
ところで，前記実施の形態，前記実施例１，２においては，前記液晶テレビジョン受像機Ｘの電源コードが抜かれることにより，前記電源装置５への電力供給が突然遮断された場合を例に挙げて説明した。
一方，前記リモコン７などの操作により，前記液晶テレビジョン受像機Ｘの電源が切られてスタンバイモード（省電力モード）に移行する場合にも，同様に，前記コンデンサ１６１に蓄積された電荷を瞬時に放電させ，或いは前記コンデンサ１６１と前記ＬＥＤ群１７２との接続を遮断することが考えられる。
例えば，前記ＡＣ検出回路８１が，前記スタンバイモードなどへの移行を検出するものであり，該検出を条件に，前記コンデンサ１６１に蓄積された電荷を瞬時に放電させ，或いは前記コンデンサ１６１と前記ＬＥＤ群１７２との接続を遮断させるように構成すればよい。このとき，前記ＡＣ検出回路８１は，前記スタンバイモードなどに移行した旨を前記制御回路４から取得することが考えられる。
このような構成によれば，前記液晶テレビジョン受像機Ｘの電源コードが抜かれた場合だけでなく，前記液晶テレビジョン受像機Ｘの電源が切られてスタンバイモード（省電力モード）に移行する場合などにも前記バックライト装置１７のＬＥＤ１７１各々を瞬時に消灯させることができる。従って，前述したように，前記黒ミュート処理を実行する必要がなくなり前記制御回路４の処理負担を軽減することができる。
【符号の説明】
【００２８】
Ｘ    ：テレビジョン受像機（液晶表示装置の一例）
１    ：チューナ
２    ：外部信号入力部
３    ：復調・分離回路
４    ：制御回路
４ａ  ：ＭＰＵ
４ｂ  ：ＲＯＭ
４ｃ  ：ＥＥＰＲＯＭ
５    ：電源装置
５１  ：整流回路
５２  ：コンバータ回路
６    ：リモコン受光部
７    ：リモコン
８    ：瞬時消灯回路
８１  ：ＡＣ検出回路
８２  ：切換制御回路
８２１：ＬＥＤ
８２２：フォトトランジスタ
８２３：リレー
８３  ：放電回路
８３１，８４１：切換スイッチ
８３２，８３４：抵抗素子
８３３：トランジスタ
８４  ：遮断回路
１１  ：映像復号回路
１２  ：映像選択・合成回路
１３  ：映像処理回路
１４  ：液晶ドライバ
１５  ：液晶表示パネル
１６  ：ＬＥＤ駆動回路
１６１：コンデンサ
１６２：ダミー抵抗
１７  ：バックライト装置
１７１：ＬＥＤ
１７２：ＬＥＤ群
２１  ：音声復号回路
２２  ：音声選択回路
２３  ：音声処理回路
２４  ：アンプ
２５  ：スピーカ
【図１】
2011191494.tif 000003
【図２】
2011191494.tif 000004
【図３】
2011191494.tif 000005
【図４】
2011191494.tif 000006
【図５】
2011191494.tif 000007
【図６】
2011191494.tif 000008
【図７】
2011191494.tif 000009